(57)【要約】【課題】上位装置の構成を簡素化しても、カードリーダが上位装置に取り付けられたときに、検知スイッチの被押圧部を確実に押すことが可能となるカードリーダを提供する。【解決手段】上位装置に取り付けられて使用されるカードリーダ１は、上位装置からカードリーダ１が取り外されたことを検知するためにカードリーダ側取付面６ａに配置される検知スイッチ１２ａと、上位装置側の取付面である上位装置側取付面と検知スイッチ１２ａとの間に挟まれるように配置されるとともに検知スイッチ１２ａへの水の浸入を防止するために検知スイッチ１２ａを覆う第１シール部材１３ｂとを備えている。検知スイッチ１２ａは、被押圧部２７を有するとともに、被押圧部２７が押されることでオンまたはオフし、第１シール部材１３ｂには、被押圧部２７を押すための押圧凸部１３ｃが形成されている。【選択図】図２
2014232352.tif 000002
【特許請求の範囲】
【請求項１】
上位装置に取り付けられて使用されるカードリーダにおいて、
前記上位装置へ前記カードリーダを取り付けるための前記カードリーダ側の取付面をカードリーダ側取付面とし、前記上位装置へ前記カードリーダを取り付けるための前記上位装置側の取付面を上位装置側取付面とすると、
前記上位装置から前記カードリーダが取り外されたことを検知するために前記カードリーダ側取付面に配置される検知スイッチと、前記上位装置側取付面と前記検知スイッチとの間に挟まれるように配置されるとともに前記検知スイッチへの水の浸入を防止するために前記検知スイッチを覆う第１シール部材とを備え、
前記検知スイッチは、被押圧部を有するとともに、前記被押圧部が押されることでオンまたはオフし、
前記第１シール部材には、前記被押圧部を押すための押圧凸部が形成されていることを特徴とするカードリーダ。
【請求項２】
前記第１シール部材には、前記上位装置側取付面側に突出する前記押圧凸部としての第１押圧凸部と、前記検知スイッチ側に突出する前記押圧凸部としての第２押圧凸部とが形成されていることを特徴とする請求項１記載のカードリーダ。
【請求項３】
前記被押圧部は、ドーム状に形成され、
前記押圧凸部の突出方向から見たときに、前記第２押圧凸部の先端部の外形は、前記被押圧部の外形よりも小さくなっていることを特徴とする請求項２記載のカードリーダ。
【請求項４】
前記押圧凸部の突出方向から見たときに、前記第１押圧凸部の中心と前記第２押圧凸部の中心とが略一致していることを特徴とする請求項２または３記載のカードリーダ。
【請求項５】
前記押圧凸部の突出方向から見たときに、前記第１押圧凸部の先端部の外形は、前記第２押圧凸部の外形よりも大きくなっていることを特徴とする請求項２から４のいずれかに記載のカードリーダ。
【請求項６】
カードが挿入されるカード挿入口が形成されるとともに前記上位装置のフロントパネルに形成される開口部の中に配置され前記上位装置の外部に露出する露出部と、前記開口部からの水の浸入を防止するために前記露出部を囲むように配置される第２シール部材とを備え、
前記フロントパネルの裏面が前記上位装置側取付面となっており、
前記第１シール部材は、前記第２シール部材と一体で形成されていることを特徴とする請求項１から５のいずれかに記載のカードリーダ。
【請求項７】
カードに記録された情報の読取りおよび前記カードへの情報の書込みの少なくともいずれか一方を行う情報処理部と、前記情報処理部が収容されるケース体とを備え、
前記カードリーダ側取付面は、前記ケース体に形成されていることを特徴とする請求項１から６のいずれかに記載のカードリーダ。
【請求項８】
前記第１シール部材は、ニトリルゴムで形成されていることを特徴とする請求項１から７のいずれかに記載のカードリーダ。
【請求項９】
前記カードリーダ側取付面および前記上位装置取付面は、平面状に形成されていることを特徴とする請求項１から８のいずれに記載のカードリーダ。
【請求項１０】
被取付体が取り付けられる取付体からの前記被取付体の取外しを検知するための検知機構において、
被押圧部を有し前記被押圧部が押されることでオンまたはオフする検知スイッチと、前記検知スイッチへの水の浸入を防止するために前記検知スイッチを覆う第１シール部材とを備え、
前記検知スイッチは、前記取付体へ前記被取付体を取り付けるための前記被取付体側の取付面である第１取付面に配置され、
前記第１シール部材は、前記取付体へ前記被取付体を取り付けるための前記取付体側の取付面である第２取付面と前記検知スイッチとの間に挟まれるように配置され、
前記第１シール部材には、前記被押圧部を押圧するための押圧凸部が形成されていることを特徴とする検知機構。
【請求項１１】
前記第１取付面および前記第２取付面は、平面状に形成されていることを特徴とする請求項１０記載の検知機構。
【発明の詳細な説明】
【技術分野】
【０００１】
本発明は、上位装置に取り付けられて使用されるカードリーダに関する。また、本発明は、被取付体が取り付けられる取付体からの被取付体の取外しを検知するための検知機構に関する。
【背景技術】
【０００２】
従来、ＡＴＭ（Ａｕｔｏｍａｔｅｄ  Ｔｅｌｌｅｒ  Ｍａｃｈｉｎｅ）等の上位装置に取り付けられて使用されるカードリーダが知られている（たとえば、特許文献１参照）。特許文献１に記載のカードリーダでは、カードに記録された情報の再生やカードへの情報の記録を行うカード処理部の本体フレームの背面に、取付凹部が形成されている。取付凹部の底面は、カードリーダを上位装置へ取り付けるための取付基準面となっている。また、取付凹部の中には、上位装置からカードリーダが取り外されたことを検知するための検知機構が配置されている。この検知機構は、シートスイッチを備えている。
【０００３】
特許文献１に記載のカードリーダが上位装置に取り付けられているときには、上位装置に形成される当接突部の先端面によってシートスイッチが押されており、シートスイッチはオンの状態になっている。一方、このカードリーダが上位装置から取り外されると、当接突部の先端面からシートスイッチが離れるため、シートスイッチがオフの状態になる。このように、特許文献１に記載のカードリーダでは、シートスイッチがオンの状態からオフの状態に切り替わることで、上位装置からカードリーダが取り外されたことが検知される。
【先行技術文献】
【特許文献】
【０００４】
【特許文献１】特開２０１０−１０２９８０号公報
【発明の概要】
【発明が解決しようとする課題】
【０００５】
特許文献１に記載のカードリーダが取り付けられる上位装置では、シートスイッチを押すための当接突部が形成されている。すなわち、この上位装置では、シートスイッチを押すために、当接突部を設ける必要がある。したがって、この上位装置では、装置の構成が複雑になる。
【０００６】
そこで、本発明の課題は、カードリーダが取り付けられる上位装置の構成を簡素化しても、カードリーダが上位装置に取り付けられたときに、上位装置からカードリーダが取り外されたことを検知するための検知スイッチの被押圧部を確実に押すことが可能となるカードリーダを提供することにある。また、本発明の課題は、被取付体が取り付けられる取付体の構成を簡素化しても、被取付体が取付体に取り付けられたときに、取付体から被取付体が取り外されたことを検知するための検知スイッチの被押圧部を確実に押すことが可能となる検知機構を提供することにある。
【課題を解決するための手段】
【０００７】
上記の課題を解決するため、本発明のカードリーダは、上位装置に取り付けられて使用されるカードリーダにおいて、上位装置へカードリーダを取り付けるためのカードリーダ側の取付面をカードリーダ側取付面とし、上位装置へカードリーダを取り付けるための上位装置側の取付面を上位装置側取付面とすると、上位装置からカードリーダが取り外されたことを検知するためにカードリーダ側取付面に配置される検知スイッチと、上位装置側取付面と検知スイッチとの間に挟まれるように配置されるとともに検知スイッチへの水の浸入を防止するために検知スイッチを覆う第１シール部材とを備え、検知スイッチは、被押圧部を有するとともに、被押圧部が押されることでオンまたはオフし、第１シール部材には、被押圧部を押すための押圧凸部が形成されていることを特徴とする。
【０００８】
本発明のカードリーダでは、上位装置側取付面と検知スイッチとの間に挟まれるように配置される第１シール部材に、被押圧部を押すための押圧凸部が形成されている。そのため、本発明では、上位装置側取付面が平面状に形成されていても、カードリーダが上位装置に取り付けられたときに、第１シール部材の押圧凸部を用いて、検知スイッチの被押圧部を確実に押すことが可能になる。すなわち、本発明では、特許文献１に記載された当接突部が上位装置に形成されていなくても、カードリーダが上位装置に取り付けられたときに、検知スイッチの被押圧部を確実に押すことが可能になる。したがって、本発明では、上位装置の構成を簡素化しても、カードリーダが上位装置に取り付けられたときに、検知スイッチの被押圧部を確実に押すことが可能になる。
【０００９】
また、本発明では、第１シール部材の押圧凸部によって、検知スイッチの被押圧部が押されているため、上位装置において振動が発生したときの検知スイッチのオンオフの切替りを防止することが可能になる。したがって、本発明では、上位装置で振動が発生したときの検知スイッチでの誤検知を防止することが可能になる。また、本発明では、第１シール部材によって、検知スイッチが覆われているため、検知スイッチへの水の浸入を防止することが可能になる。
【００１０】
本発明において、第１シール部材には、上位装置側取付面側に突出する押圧凸部としての第１押圧凸部と、検知スイッチ側に突出する押圧凸部としての第２押圧凸部とが形成されていることが好ましい。このように構成すると、カードリーダが上位装置に取り付けられて上位装置側取付面と検知スイッチとの間に第１シール部材が挟まれたときに、第１押圧凸部と第２押圧凸部との両者がその突出方向に圧縮される。したがって、第１押圧凸部および第２押圧凸部による被押圧部の押圧力を高めることが可能になり、その結果、カードリーダが上位装置に取り付けられたときに、被押圧部をより確実に押すことが可能になる。
【００１１】
本発明において、被押圧部は、ドーム状に形成され、押圧凸部の突出方向から見たときに、第２押圧凸部の先端部の外形は、被押圧部の外形よりも小さくなっていることが好ましい。このように構成すると、カードリーダが上位装置に取り付けられたときに、ドーム状に形成された被押圧部の中心側に第２押圧凸部を接触させることが可能になり、その結果、被押圧部をより確実に押すことが可能になる。
【００１２】
本発明において、押圧凸部の突出方向から見たときに、第１押圧凸部の中心と第２押圧凸部の中心とが略一致していることが好ましい。このように構成すると、上位装置側取付面と検知スイッチとの間に挟まれて圧縮された第１押圧凸部および第２押圧凸部の反力を効率的に被押圧部に作用させることが可能になる。したがって、第１押圧凸部および第２押圧凸部による被押圧部の押圧力を効果的に高めることが可能になり、その結果、カードリーダが上位装置に取り付けられたときに、被押圧部をより確実に押すことが可能になる。
【００１３】
本発明において、押圧凸部の突出方向から見たときに、第１押圧凸部の先端部の外形は、第２押圧凸部の外形よりも大きくなっていることが好ましい。このように構成すると、上位装置側取付面と第１押圧凸部とを確実に接触させることが可能になり、上位装置側取付面によって、第１押圧凸部を確実に押すことが可能になる。
【００１４】
本発明において、カードリーダは、カードが挿入されるカード挿入口が形成されるとともに上位装置のフロントパネルに形成される開口部の中に配置され上位装置の外部に露出する露出部と、開口部からの水の浸入を防止するために露出部を囲むように配置される第２シール部材とを備え、フロントパネルの裏面が上位装置側取付面となっており、第１シール部材は、第２シール部材と一体で形成されていることが好ましい。このように構成すると、第１シール部材が第２シール部材と別体で形成されている場合と比較して、カードリーダを構成する部品の数を削減することが可能になる。また、第１シール部材が第２シール部材と別体で形成されている場合と比較して、カードリーダの組立時における第１シール部材の取扱いが容易になる。
【００１５】
本発明において、カードリーダは、たとえば、カードに記録された情報の読取りおよびカードへの情報の書込みの少なくともいずれか一方を行う情報処理部と、情報処理部が収容されるケース体とを備え、カードリーダ側取付面は、ケース体に形成されている。また、本発明において、第１シール部材は、たとえば、ニトリルゴムで形成されている。
【００１６】
本発明において、たとえば、カードリーダ側取付面および上位装置取付面は、平面状に形成されている。この場合には、第１シール部材と検知スイッチとを密着させて、検知スイッチへの水の浸入を確実に防止することが可能になる。なお、本発明では、上位装置側取付面が平面状に形成されていても、上述のように、カードリーダが上位装置に取り付けられたときに、第１シール部材の押圧凸部を用いて、検知スイッチの被押圧部を確実に押すことが可能になる。
【００１７】
また、上記の課題を解決するため、本発明の検知機構は、被取付体が取り付けられる取付体からの被取付体の取外しを検知するための検知機構において、被押圧部を有し被押圧部が押されることでオンまたはオフする検知スイッチと、検知スイッチへの水の浸入を防止するために検知スイッチを覆う第１シール部材とを備え、検知スイッチは、取付体へ被取付体を取り付けるための被取付体側の取付面である第１取付面に配置され、第１シール部材は、取付体へ被取付体を取り付けるための取付体側の取付面である第２取付面と検知スイッチとの間に挟まれるように配置され、第１シール部材には、被押圧部を押圧するための押圧凸部が形成されていることを特徴とする。
【００１８】
本発明の検知機構では、第２取付面と検知スイッチとの間に挟まれるように配置される第１シール部材に、被押圧部を押すための押圧凸部が形成されている。そのため、本発明では、第２取付面が平面状に形成されていても、被取付体が取付体に取り付けられたときに、第１シール部材の押圧凸部を用いて、検知スイッチの被押圧部を確実に押すことが可能になる。すなわち、本発明では、被押圧部を押すための凸部が取付体に形成されていなくても、被取付体が取付体に取り付けられたときに、検知スイッチの被押圧部を確実に押すことが可能になる。したがって、本発明では、取付体の構成を簡素化しても、被取付体が取付体に取り付けられたときに、検知スイッチの被押圧部を確実に押すことが可能になる。
【００１９】
また、本発明では、第１シール部材の押圧凸部によって、検知スイッチの被押圧部が押されているため、被取付体が取り付けられた状態の取付体において振動が発生したときの検知スイッチのオンオフの切替りを防止することが可能になる。したがって、本発明では、取付体で振動が発生したときの検知スイッチでの誤検知を防止することが可能になる。また、本発明では、第１シール部材によって、検知スイッチが覆われているため、検知スイッチへの水の浸入を防止することが可能になる。
【００２０】
本発明において、たとえば、第１取付面および第２取付面は、平面状に形成されている。この場合には、第１シール部材と検知スイッチとを密着させて、検知スイッチへの水の浸入を確実に防止することが可能になる。なお、本発明では、第２取付面が平面状に形成されていても、上述のように、被取付体が取付体に取り付けられたときに、第１シール部材の押圧凸部を用いて、検知スイッチの被押圧部を確実に押すことが可能になる。
【発明の効果】
【００２１】
以上のように、本発明では、カードリーダが取り付けられる上位装置の構成を簡素化しても、カードリーダが上位装置に取り付けられたときに、上位装置からカードリーダが取り外されたことを検知するための検知スイッチの被押圧部を確実に押すことが可能になる。また、本発明では、被取付体が取り付けられる取付体の構成を簡素化しても、被取付体が取付体に取り付けられたときに、取付体から被取付体が取り外されたことを検知するための検知スイッチの被押圧部を確実に押すことが可能になる。
【図面の簡単な説明】
【００２２】
【図１】本発明の実施の形態にかかるカードリーダの斜視図である。
【図２】図１に示すカードリーダからシール部材を取り外した状態の分解斜視図である。
【図３】図１に示すカードリーダが取り付けられる上位装置の概略構成を示す斜視図である。
【図４】図２に示すシートスイッチの斜視図である。
【図５】図４のＥ−Ｅ断面の断面図である。
【図６】図２に示すシール部材の正面図である。
【図７】（Ａ）は、図６のＦ−Ｆ断面の断面図であり、（Ｂ）は、（Ａ）のＧ−Ｇ方向からスイッチシール部を示す図である。
【図８】（Ａ）は、図１に示すカードリーダが上位装置に取り付けられる前のシートスイッチおよびシール部材の状態を説明するための図であり、（Ｂ）は、図１に示すカードリーダが上位装置に取り付けられたときのシートスイッチおよびシール部材の状態を説明するための図である。
【発明を実施するための形態】
【００２３】
以下、図面を参照しながら、本発明の実施の形態を説明する。
【００２４】
（カードリーダの全体構成）
図１は、本発明の実施の形態にかかるカードリーダ１の斜視図である。図２は、図１に示すカードリーダ１からシール部材１３を取り外した状態の分解斜視図である。図３は、図１に示すカードリーダ１が取り付けられる上位装置５の概略構成を示す斜視図である。
【００２５】
本形態のカードリーダ１は、図１、図２に示すように、カード２が挿入、排出されるカード挿入排出部３と、カード２に記録された情報の読取りおよびカード２への情報の書込みの少なくともいずれか一方を行うカード処理部４とを備えている。このカードリーダ１は、図３に示すように、ＡＴＭ等の上位装置５に取り付けられて使用される。
【００２６】
カード２は、たとえば、厚さが０．７〜０．８ｍｍ程度の矩形状の塩化ビニール製のカードである。このカード２の表面には、たとえば、磁気情報が記録される磁気ストライプが形成されている。また、たとえば、カード２には、ＩＣチップが内蔵されている。なお、カード２には、通信用のアンテナが内蔵されても良い。また、カード２の表面には、感熱方式によって印字が行われる印字部が形成されても良い。また、カード２は、厚さが０．１８〜０．３６ｍｍ程度のＰＥＴ（ポリエチレンテレフタレート）カードであっても良いし、所定の厚さの紙カード等であっても良い。
【００２７】
以下の説明では、図１に示すように、互いに直交する３方向のそれぞれをＸ方向、Ｙ方向およびＺ方向とし、Ｘ方向を左右方向、Ｙ方向を前後方向、Ｚ方向を上下方向とする。また、Ｙ１方向側を「前」側とし、Ｙ２方向側を「後ろ」側とする。Ｚ方向は、カードリーダ１に挿入されたカード２の厚さ方向であり、Ｙ方向は、カードリーダ１に挿入されたカード２の長手幅方向であり、Ｘ方向は、カードリーダ１に挿入されたカード２の短手幅方向である。
【００２８】
カード挿入排出部３は、カードリーダ１の前面を構成する前面カバー６を備えている。前面カバー６の前面側には、上位装置５へカードリーダ１を取り付けるためのカードリーダ１側の取付面である平面状のカードリーダ側取付面６ａ（以下、「取付面６ａ」とする）が形成されている。また、前面カバー６の前面側には、上位装置５のフロントパネル７に形成される開口部の中に配置される露出部６ｂが形成されている。露出部６ｂは、取付面６ａから前側に突出するように形成されている。この露出部６ｂは、図３に示すように、上位装置５にカードリーダ１が取り付けられたときに、上位装置５の外部に露出している。露出部６ｂには、カード２が挿入されるカード挿入口６ｃが形成されている。露出部６ｂの左右両側には、カードリーダ１をフロントパネル７に固定するためのネジ（図示省略）が挿通される挿通孔６ｄが形成されている。
【００２９】
カード処理部４は、磁気ヘッド、ＩＣ接点および／または通信用アンテナ等の情報の書込みや読取りを行うための手段を有する情報処理部（図示省略）と、この情報処理部を覆う本体ケース８とを備えている。前面カバー６は、本体ケース８の前端に固定されており、情報処理部は、前面カバー６と本体ケース８とによって構成されるケース体９に収容されている。なお、情報処理部は、情報処理部内でカード２を搬送するためのカード搬送機構を備えていても良いし、カード搬送機構を備えていなくても良い。すなわち、カードリーダ１は、カード搬送式のカードリーダであっても良いし、手動式のカードリーダであっても良い。
【００３０】
図２に示すように、取付面６ａには、上位装置５からカードリーダ１が取り外されたことを検知するためのシートスイッチ１２の一部が配置されている。また、本形態では、フロントパネル７の開口部と露出部６ｂとの隙間からの水の浸入を防止するためのシール部材１３が露出部６ｂを囲むように配置されている。以下、シートスイッチ１２およびシール部材１３の構成について説明する。
【００３１】
（シートスイッチおよびシール部材の構成）
図４は、図２に示すシートスイッチ１２の斜視図である。図５は、図４のＥ−Ｅ断面の断面図である。図６は、図２に示すシール部材１３の正面図である。図７（Ａ）は、図６のＦ−Ｆ断面の断面図であり、図７（Ｂ）は、図７（Ａ）のＧ−Ｇ方向からスイッチシール部１３ｂを示す図である。図８（Ａ）は、図１に示すカードリーダ１が上位装置５に取り付けられる前のシートスイッチ１２およびスイッチシール部１３ｂの状態を説明するための図であり、図８（Ｂ）は、図１に示すカードリーダ１が上位装置５に取り付けられたときのシートスイッチ１２およびスイッチシール部１３ｂの状態を説明するための図である。
【００３２】
シートスイッチ１２は、薄いシート状に形成されている。このシートスイッチ１２は、取付面６ａに配置される検知スイッチとしてのスイッチ部１２ａと、スイッチ部１２ａから引き出される帯状の接続部１２ｂとをから構成されている。接続部１２ｂは、カードリーダ１の内部に向かって引き回されており、接続部１２ｂの端部は、カードリーダ１内に配置される基板（図示省略）に接続されている。
【００３３】
スイッチ部１２ａは、図５に示すように、接点電極１５と、接点電極１５の前面を覆う表面シート１６と、導電性パターン１７が前面に形成された対向シート１８と、導電性パターン１７の前面を覆うカバーシート１９と、対向シート１８の後面側に配置される金属シート２０とを備えている。表面シート１６、対向シート１８およびカバーシート１９は、絶縁性材料によって薄いシート状に形成されている。図５に示すように、導電性パターン１７の端部は、カバーシート１９によって覆われておらず露出している。この導電性パターン１７の露出部分は、接点電極１５に対向配置される対向電極２１となっている。また、接続部１２ｂは、導電性パターン１７が繋がる導電性パターンと、対向シート１８と一体で形成される対向シートと、カバーシート１９と一体で形成されるカバーシートとを備えている。
【００３４】
接点電極１５は、導電性とバネ性とを有する金属材料で形成されている。この接点電極１５は、前側に向かって膨らむドーム状に形成されており、前側から押されると、後ろ側に向かって窪む。また、接点電極１５は、前側からの押圧をやめると元のドーム形状に戻る。接点電極１５の後端の一部分は、絶縁性材料によって薄いシート状に形成された絶縁シート２２に接触し、接点電極１５の後端の他の一部分は、カバーシート１９に接触している。本形態では、スイッチ部１２ａは、２個の接点電極１５を備えている。２個の接点電極１５は、上下方向に所定の間隔をあけた状態で配置されている。
【００３５】
表面シート１６は、接点電極１５が配置される配置孔２３ａが形成されたスペーサ２３の前面に固定されている。スペーサ２３は、樹脂材料で形成されており、カバーシート１９および絶縁シート２２の前面に固定されている。上述のように、対向シート１８に形成される導電性パターン１７の露出部分は、対向電極２１となっている。本形態では、１個の接点電極１５に、一対の（すなわち、２個の）対向電極２１が互いに離れた状態で対向配置されている。絶縁シート２２は、対向シート１８とスペーサ２３との間に配置されている。上述のように、接点電極１５の後端の一部分は、絶縁シート２２に接触し、接点電極１５の後端の他の一部分は、カバーシート１９に接触しており、接点電極１５と導電性パターン１７とは絶縁されている。金属シート２０は、粘着シート２５によって、対向シート１８の裏面に固定されている。粘着シート２５は、樹脂等の絶縁性材料で形成されている。
【００３６】
シートスイッチ１２では、接点電極１５が前側から押されて後ろ側に向かって窪み、接点電極１５と一対の対向電極２１とが接触するとスイッチ部１２ａが導通状態となる。すなわち、接点電極１５が押されて接点電極１５と一対の対向電極２１とが接触すると、スイッチ部１２ａはオンの状態となり、接点電極１５が押されなくなって接点電極１５と一対の対向電極２１とが離れると、スイッチ部１２ａはオフの状態になる。本形態では、接点電極１５、表面シート１６および対向電極２１等によって、ドーム状に形成される被押圧部２７が構成されており、被押圧部２７が押されることでスイッチ部１２ａがオンの状態になる。上述のように、２個の接点電極１５は、上下方向に所定の間隔をあけた状態で配置されており、２個の被押圧部２７も、上下方向に所定の間隔をあけた状態で配置されている。
【００３７】
シール部材１３は、ゴムで形成されている。具体的には、シール部材１３は、ニトリルゴムで形成されている。このシール部材１３は、フロントパネル７の開口部から上位装置５の内部への水の浸入を防止するためのシール本体部１３ａと、スイッチ部１２ａへの水の浸入を防止するためのスイッチシール部１３ｂとから構成されている。
【００３８】
シール本体部１３ａは、長方形状の枠状に形成されている。このシール本体部１３ａは、その内周端が前面カバー６の露出部６ｂの外周面に接触するように露出部６ｂに取り付けられている。また、シール本体部１３ａは、フロントパネル７の裏面（後面）７ａ（図８（Ｂ）参照）と取付面６ａとの間に挟まれるように配置されている。本形態では、フロントパネル７の裏面７ａは、上位装置５へカードリーダ１を取り付けるための上位装置５側の取付面である平面状の上位装置側取付面となっている。
【００３９】
スイッチシール部１３ｂは、シール本体部１３ａの左右方向の一端から左右方向の外側へ突出するように形成されている。このスイッチシール部１３ｂは、前後方向から見たときの形状が略長方形となる略平板状に形成されており、その厚さ方向と前後方向とが一致するように配置されている。スイッチシール部１３ｂの大きさは、スイッチ部１２ａの前面の全体を覆うことができる大きさとなっている。スイッチシール部１３ｂの前面には、被押圧部２７を押圧するための第１押圧凸部としての押圧凸部１３ｃが形成されている。また、スイッチシール部１３ｂの後面には、前側に向かって窪む凹部１３ｄが形成されている。凹部１３ｄの中には、被押圧部２７を押圧するための第２押圧凸部としての押圧凸部１３ｅが形成されている。
【００４０】
押圧凸部１３ｃは、スイッチシール部１３ｂの前面から前側に突出するように形成されている。また、押圧凸部１３ｃは、扁平な円柱状に形成されている。本形態では、２個の押圧凸部１３ｃがスイッチシール部１３ｂに形成されている。２個の押圧凸部１３ｃは、上下方向に所定の間隔をあけた状態で配置されている。凹部１３ｄは、図７（Ｂ）に示すように、後ろ側から見たときの形状が略長方形状となるように形成されている。押圧凸部１３ｅは、凹部１３ｄの底面（前面）から後ろ側へ突出するように形成されている。また、押圧凸部１３ｅは、扁平な円柱状に形成されている。本形態では、２個の押圧凸部１３ｅがスイッチシール部１３ｂに形成されている。なお、本形態では、図７（Ａ）に示すように、押圧凸部１３ｅの後端面とスイッチシール部１３ｂの後面とが、前後方向に直交する略同一平面上に配置されている。ただし、押圧凸部１３ｅの後端面は、スイッチシール部１３ｂの後面より前側に配置されても良いし、後ろ側に配置されても良い。
【００４１】
上下方向における２個の押圧凸部１３ｃの中心間距離は、上下方向における２個の押圧凸部１３ｅの中心間距離と等しくなっている。また、上下方向における２個の押圧凸部１３ｃの中心間距離および２個の押圧凸部１３ｅの中心間距離は、上下方向における２個の被押圧部２７の中心間距離（すなわち、上下方向における接点電極１５の中心間距離）と等しくなっている。また、前後方向から見たときに、上側に配置される押圧凸部１３ｃの中心と、上側に配置される押圧凸部１３ｅの中心と、上側に配置される被押圧部２７の中心（すなわち、接点電極１５の中心）とが略一致しており、下側に配置される押圧凸部１３ｃの中心と、下側に配置される押圧凸部１３ｅの中心と、下側に配置される被押圧部２７の中心（すなわち、接点電極１５の中心）とが略一致している。
【００４２】
また、前後方向から見たときに、押圧凸部１３ｃの外形は、被押圧部２７の外形（すなわち、接点電極１５の外形）よりも大きくなっている。すなわち、円柱状に形成される押圧凸部１３ｃの外径は、ドーム状に形成される被押圧部２７の外径（接点電極１５の外径）よりも大きくなっている。一方、前後方向から見たときに、押圧凸部１３ｅの外形は、被押圧部２７の外形（接点電極１５の外形）よりも小さくなっている。すなわち、円柱状に形成される押圧凸部１３ｅの外径は、ドーム状に形成される被押圧部２７の外径（接点電極１５の外径）よりも小さくなっている。
【００４３】
スイッチシール部１３ｂは、フロントパネル７の裏面７ａとスイッチ部１２ａとの間に挟まれるように配置されている。また、スイッチシール部１３ｂは、スイッチ部１２ａの前面を覆うように配置されている。また、スイッチシール部１３ｂとスイッチ部１２ａとは、図８（Ｂ）に示すように、フロントパネル７の裏面７ａと前面カバー６の取付面６ａとの間に挟まれるように配置されている。
【００４４】
カードリーダ１の取付面６ａとフロントパネル７の裏面７ａとがわずかな隙間を介して対向するように、カードリーダ１がフロントパネル７に取り付けられると、図８（Ｂ）に示すように、裏面７ａとスイッチ部１２ａとの間で押圧凸部１３ｃ、１３ｅが前後方向に圧縮されて被押圧部２７を押す。具体的には、接点電極１５と対向電極２１とが接触してスイッチ部１２ａが導通状態となるまで押圧凸部１３ｃ、１３ｅが被押圧部２７を押す。そのため、カードリーダ１がフロントパネル７に取り付けられている状態では、スイッチ部１２ａはオンの状態となる。
【００４５】
一方、カードリーダ１がフロントパネル７から取り外されると、図８（Ａ）に示すように、被押圧部２７が押されなくなり、接点電極１５の弾性復帰力によって、接点電極１５と対向電極２１とが離れるため、スイッチ部１２ａはオフの状態となる。このように、オン状態のスイッチ部１２ａがオフの状態になることで、上位装置５からカードリーダ１が取り外されたことが検知される。なお、カードリーダ１がフロントパネル７に取り付けられた状態では、図８（Ｂ）に示すように、凹部１３ｄの底面と被押圧部２７との間には隙間が形成されている。
【００４６】
本形態のスイッチシール部１３ｂは、検知スイッチとしてのスイッチ部１２ａへの水の浸入を防止するための第１シール部材であり、シール本体部１３ａは、フロントパネル７の開口部からの水の浸入を防止する第２シール部材である。また、本形態のカードリーダ１は、フロントパネル７に取り付けられる被取付体であり、フロントパネル７は、被取付体であるカードリーダ１が取り付けられる取付体である。また、本形態の取付面６ａは、第１取付面であり、裏面７ａは、第２取付面である。さらに、本形態では、スイッチ部１２ａおよびスイッチシール部１３ｂ等によって、フロントパネル７からのカードリーダ１の取外しを検知するための検知機構が構成されている。
【００４７】
（本形態の主な効果）
以上説明したように、本形態では、フロントパネル７の裏面７ａとスイッチ部１２ａとの間に挟まれるように配置されるスイッチシール部１３ｂに、スイッチ部１２ａの被押圧部２７を押圧するための押圧凸部１３ｃ、１３ｅが形成されている。そのため、本形態では、フロントパネル７の裏面７ａが平面状に形成されていても、カードリーダ１が上位装置５に取り付けられたときに、押圧凸部１３ｃ、１３ｅを用いて、被押圧部２７を確実に押すことが可能になる。すなわち、本形態では、特許文献１に記載された当接突部が上位装置５に形成されていなくても、カードリーダ１が上位装置５に取り付けられたときに、被押圧部２７を確実に押すことが可能になる。したがって、本形態では、上位装置５の構成を簡素化しても、カードリーダ１が上位装置５に取り付けられたときに、被押圧部２７を確実に押すことが可能になる。
【００４８】
特に本形態では、スイッチシール部１３ｂに、前側に突出する押圧凸部１３ｃと後ろ側へ突出する押圧凸部１３ｅとが形成されているため、カードリーダ１が上位装置５に取り付けられてフロントパネル７の裏面７ａとスイッチ部１２ａとの間にスイッチシール部１３ｂが挟まれたときに、押圧凸部１３ｃおよび押圧凸部１３ｅが前後方向に圧縮される。したがって、本形態では、押圧凸部１３ｃ、１３ｅによる被押圧部２７の押圧力を高めることが可能になり、その結果、カードリーダ１が上位装置５に取り付けられたときに、被押圧部２７をより確実に押すことが可能になる。
【００４９】
また、本形態では、前後方向から見たときに、上側に配置される押圧凸部１３ｃの中心と、上側に配置される押圧凸部１３ｅの中心と、上側に配置される被押圧部２７の中心とが略一致しており、かつ、下側に配置される押圧凸部１３ｃの中心と、下側に配置される押圧凸部１３ｅの中心と、下側に配置される被押圧部２７の中心とが略一致しているため、フロントパネル７の裏面７ａとスイッチ部１２ａとの間に挟まれて圧縮された押圧凸部１３ｃ、１３ｅの反力を効率的に被押圧部２７に作用させることが可能になる。また、本形態では、前後方向から見たときに、押圧凸部１３ｅの外形が被押圧部２７の外形よりも小さくなっているため、カードリーダ１が上位装置５に取り付けられたときに、ドーム状に形成された被押圧部２７の中心側に押圧凸部１３ｅを接触させることが可能になる。したがって、本形態では、押圧凸部１３ｃ、１３ｅによる被押圧部２７の押圧力を効果的に高めることが可能になる。その結果、本形態では、カードリーダ１が上位装置５に取り付けられたときに、被押圧部２７をより確実に押すことが可能になる。
【００５０】
本形態では、前後方向から見たときに、押圧凸部１３ｃの外形が被押圧部２７の外形よりも大きくなっている。そのため、本形態では、カードリーダ１が上位装置５に取り付けられたときに、フロントパネル７の裏面７ａと押圧凸部１３ｃとを確実に接触させることが可能になり、その結果、フロントパネル７の裏面７ａによって押圧凸部１３ｃを確実に押すことが可能になる。
【００５１】
本形態では、ゴムで形成されたシール部材１３の押圧凸部１３ｃ、１３ｅによって被押圧部２７が押されている。そのため、本形態では、カードリーダ１が取り付けられた状態の上位装置５において振動が発生したときのスイッチ部１２ａのオンオフの切替りを防止することが可能になる。したがって、本形態では、上位装置５で振動が発生したときのスイッチ部１２ａでの誤検知を防止することが可能になる。また、本形態では、スイッチシール部１３ｂによってスイッチ部１２ａが覆われているため、スイッチ部１２ａへの水の浸入を防止することが可能になる。特に本形態では、フロントパネル７の裏面７ａおよび前面カバー６の取付面６ａが平面状に形成されているため、裏面７ａと取付面６ａとの間に挟まれるスイッチシール部１３ｂとスイッチ部１２ａとを密着させて、スイッチ部１２ａへの水の浸入を確実に防止することが可能になる。
【００５２】
本形態では、フロントパネル７の開口部から上位装置５の内部への水の浸入を防止するためのシール本体部１３ａと、スイッチ部１２ａへの水の浸入を防止するためのスイッチシール部１３ｂとが一体で形成されている。そのため、本形態では、シール本体部１３ａとスイッチシール部１３ｂとが別体で形成されている場合と比較して、カードリーダ１を構成する部品の数を削減することが可能になる。また、本形態では、シール本体部１３ａとスイッチシール部１３ｂとが別体で形成されている場合と比較して、カードリーダ１の組立時におけるスイッチシール部１３ｂの取扱いが容易になる。
【００５３】
（他の実施の形態）
上述した形態は、本発明の好適な形態の一例ではあるが、これに限定されるものではなく本発明の要旨を変更しない範囲において種々変形実施が可能である。
【００５４】
上述した形態では、前後方向から見たときに、押圧凸部１３ｃの外形は、被押圧部２７の外形よりも大きくなっているが、前後方向から見たときに、押圧凸部１３ｃの外形は、被押圧部２７の外形と同じであっても良いし、被押圧部２７の外形より小さくても良い。また、上述した形態では、前後方向から見たときに、押圧凸部１３ｅの外形は、被押圧部２７の外形よりも小さくなっているが、前後方向から見たときに、押圧凸部１３ｅの外形は、被押圧部２７の外形と同じであっても良いし、被押圧部２７の外形より大きくても良い。
【００５５】
上述した形態では、前後方向から見たときに、上側に配置される押圧凸部１３ｃの中心と、上側に配置される押圧凸部１３ｅの中心とが略一致しており、下側に配置される押圧凸部１３ｃの中心と、下側に配置される押圧凸部１３ｅの中心とが略一致している。この他にもたとえば、前後方向から見たときに、上側に配置される押圧凸部１３ｃの中心と、上側に配置される押圧凸部１３ｅの中心とがずれていても良いし、下側に配置される押圧凸部１３ｃの中心と、下側に配置される押圧凸部１３ｅの中心とがずれていても良い。
【００５６】
上述した形態では、押圧凸部１３ｃ、１３ｅは、扁平な円柱状に形成されている。この他にもたとえば、押圧凸部１３ｃ、１３ｅは、扁平な四角柱状、六角柱状等の扁平な多角柱状に形成されても良いし、扁平な楕円柱状に形成されても良い。また、押圧凸部１３ｃ、１３ｅは、扁平な円錐台状に形成されても良いし、扁平な多角錐台状に形成されても良い。この場合には、たとえば、前後方向から見たときに、押圧凸部１３ｃの先端部の外形は、被押圧部２７の外形よりも大きく形成され、押圧凸部１３ｅの先端部の外形は、被押圧部２７の外形よりも小さく形成される。
【００５７】
上述した形態では、スイッチシール部１３ｂに、前側に突出する押圧凸部１３ｃと後ろ側へ突出する押圧凸部１３ｅとが形成されている。この他にもたとえば、スイッチシール部１３ｂに、押圧凸部１３ｃまたは押圧凸部１３ｅのいずれか一方のみが形成されても良い。
【００５８】
上述した形態では、シール本体部１３ａとスイッチシール部１３ｂとが一体で形成されている。この他にもたとえば、シール本体部１３ａとスイッチシール部１３ｂとが別体で形成されても良い。また、上述した形態では、シール部材１３は、シール本体部１３ａとスイッチシール部１３ｂとによって構成されているが、シール部材１３は、スイッチシール部１３ｂのみによって構成されても良い。
【００５９】
上述した形態では、スイッチ部１２ａに２個の被押圧部２７が形成されている。この他にもたとえば、スイッチ部１２ａに１個の被押圧部２７が形成されても良いし、３個以上の被押圧部２７が形成されても良い。また、上述した形態では、シートスイッチ１２の一部を構成するスイッチ部１２ａに、ドーム状の被押圧部２７が形成されているが、シートスイッチ部１２以外の検知スイッチに被押圧部２７が形成されても良い。また、上述した形態では、スイッチ部１２ａは、被押圧部２７が押されるとオンの状態となり、被押圧部２７が押されなくなるとオフの状態となるが、被押圧部２７が押されるとオフの状態となり、被押圧部２７が押されなくなるとオンの状態となるにようにスイッチ部１２ａが構成されても良い。
【００６０】
上述した形態では、スイッチ部１２ａおよびスイッチシール部１３ｂ等によって、フロントパネル７からのカードリーダ１の取外しを検知するための検知機構が構成されている。この他にもたとえば、スイッチ部１２ａおよびスイッチシール部１３ｂ等によって、カードリーダ１以外の装置が、この装置が取り付けられる上位装置から取り外されることを検出するための検知機構が構成されても良い。この場合には、カードリーダ１以外の装置が被取付体となり、上位装置が取付体となる。
【００６１】
また、たとえば、スイッチ部１２ａおよびスイッチシール部１３ｂ等によって、本体ケース８からの前面カバー６の取外しを検知するための検知機構が構成されても良い。この場合には、前面カバー６が被取付体となり、本体ケース８が取付体となる。また、この場合には、被押圧部２７を押すための凸部が前面カバー６に形成されていなくても、前面カバー６が本体ケース８に取り付けられたときに、被押圧部２７を確実に押すことが可能になる。
【符号の説明】
【００６２】
１  カードリーダ（被取付体）
２  カード
５  上位装置（取付体）
６ａ  取付面（カードリーダ側取付面、第１取付面）
６ｂ  露出部
６ｃ  カード挿入口
７  フロントパネル
７ａ  裏面（上位装置側取付面、第２取付面）
９  ケース体
１２ａ  スイッチ部（検知スイッチ、検知機構の一部）
１３ａ  シール本体部（第２シール部材）
１３ｂ  スイッチシール部（第１シール部材、検知機構の一部）
１３ｃ  押圧凸部（第１押圧凸部）
１３ｅ  押圧凸部（第２押圧凸部）
２７  被押圧部
Ｙ  押圧凸部の突出方向
【図１】
2014232352.tif 000003
【図２】
2014232352.tif 000004
【図３】
2014232352.tif 000005
【図４】
2014232352.tif 000006
【図５】
2014232352.tif 000007
【図６】
2014232352.tif 000008
【図７】
2014232352.tif 000009
【図８】
2014232352.tif 000010